(57)【要約】【課題】  交換ユニットの支持体に設置される主制御基板ユニットと他の制御基板との電気的接続を容易に行うことができるようにする。【解決手段】  中継基板１３を、リールユニット１１の上方に位置する支持体１４におけるほぼ水平な天板部１４２に取り付けるとともに、その後部に各種制御信号を入出力可能な上向きコネクタ１３１を設け、また、主制御基板ユニット９を、天板部１４２に対してほぼ直角な支持体１４における起立部１４５の前面に取り付けるとともに、主制御基板ユニット９の下部に各種制御信号を入出力可能で、かつ上向きコネクタ１３１に直接接続される下向きコネクタ９３を設ける。    【選択図】  図３
2006181167.tif 000002
【特許請求の範囲】
【請求項１】
前面が開放した筐体と、該筐体の前面に開閉可能に設けられる前扉と、前記筐体内に設けられる交換ユニットとを備え、該交換ユニットは、前記筐体内に着脱自在に固定される支持体に、複数の識別情報を表示可能なリールユニットと、遊技全体を統括的に制御可能な主制御基板ユニットと、該主制御基板ユニットに電気的に接続される他の制御基板とを取り付けて成る遊技機において、
前記他の制御基板を、前記リールユニットの上方に位置する前記支持体におけるほぼ水平な天板部に取り付けるとともに、前記他の制御基板の後部に各種制御信号を入出力可能な上向きコネクタを設け、また、前記主制御基板ユニットを、前記天板部に対してほぼ直角な前記支持体における起立部の前面に取り付けるとともに、前記主制御基板ユニットの下部に各種制御信号を入出力可能で、かつ前記上向きコネクタに直接接続される下向きコネクタを設けたことを特徴とする遊技機。
【請求項２】
交換ユニットの支持体に、上下方向のガイド部を設け、このガイド部に主制御基板ユニットの両側部を上方から差し込むことにより、前記主制御基板ユニットの下向きコネクタを他の制御基板の上向きコネクタに直接接続し得るようにしたことを特徴とする請求項１記載の遊技機。
【請求項３】
主制御基板ユニットの下向きコネクタ及び他の制御基板の上向きコネクタをそれぞれ１個とするとともに、他の制御基板の前部に、制御信号を入力または出力可能な複数のコネクタを設けたことを特徴とする請求項１または２記載の遊技機。
【発明の詳細な説明】
【技術分野】
【０００１】
本発明は、筐体内に、識別情報を表示可能なリールユニット、及び主制御基板ユニットを設けた遊技機に関する。
【背景技術】
【０００２】
遊技機としてのスロットマシンにおいては、前面が開放した筐体と、筐体の前面に開閉可能に設けられる前扉とを備え、筐体内には、図柄や数字等で構成される複数の識別情報を変動表示可能なリールユニット、遊技全体を統括的に制御可能な主制御基板ユニット及びこの主制御基板ユニットに電気的に接続される他の制御基板が収容されている。
【０００３】
また、遊技機における遊技内容の変更、いわゆる台交換の作業軽減、資源の有効利用を図るため、筐体内に着脱自在に固定される支持体に、リールユニット及び主制御基板ユニットを組み付けてなる交換ユニットを形成したものがある（例えば、特許文献１参照）。
【特許文献１】特開２００４−６７０号公報
【発明の開示】
【発明が解決しようとする課題】
【０００４】
上述のような遊技機においては、交換ユニットの支持体に、さらに主制御基板ユニットの制御信号を各種制御基板に分配するための中継基板等を設置した場合、主制御基板ユニットと他の制御基板との互いの電気的接続は、所定の長さを有する電気的接続コードを用いて接続する方法が採用されるため、組付け作業の低下、及びコストの上昇を招くおそれがある。
【０００５】
本発明は、従来の問題に鑑み、交換ユニットの支持体に設置される主制御基板ユニットと他の制御基板との電気的接続を容易に行うことができるようにした遊技機を提供することを目的とする。
【課題を解決するための手段】
【０００６】
本発明によると、上記課題は、次のようにして解決される。
（１）前面が開放した筐体と、該筐体の前面に開閉可能に設けられる前扉と、前記筐体内に設けられる交換ユニットとを備え、該交換ユニットは、前記筐体内に着脱自在に固定される支持体に、複数の識別情報を表示可能なリールユニットと、遊技全体を統括的に制御可能な主制御基板ユニットと、該主制御基板ユニットに電気的に接続される他の制御基板とを取り付けて成る遊技機において、前記他の制御基板を、前記リールユニットの上方に位置する前記支持体におけるほぼ水平な天板部に取り付けるとともに、前記他の制御基板の後部に各種制御信号を入出力可能な上向きコネクタを設け、また、前記主制御基板ユニットを、前記天板部に対してほぼ直角な前記支持体における起立部の前面に取り付けるとともに、前記主制御基板ユニットの下部に各種制御信号を入出力可能で、かつ前記上向きコネクタに直接接続される下向きコネクタを設ける。
【０００７】
（２）上記(１)項において、交換ユニットの支持体に、上下方向のガイド部を設け、このガイド部に主制御基板ユニットの両側部を上方から差し込むことにより、前記主制御基板ユニットの下向きコネクタを他の制御基板の上向きコネクタに直接接続し得るようにする。
【０００８】
（３）上記(１)または(２)項において、主制御基板ユニットの下向きコネクタ及び他の制御基板の上向きコネクタをそれぞれ１個とするとともに、他の制御基板の前部に、制御信号を入力または出力可能な複数のコネクタを設ける。
【発明の効果】
【０００９】
本発明によれば、次のような効果が奏せられる。
（ａ）請求項１記載の発明によると、主制御基板ユニットの下部に設けた下向きコネクタを、他の制御基板の後部に設けた上向きコネクタに直接接続することができるため、主制御基板ユニットと他の制御基板とを、電気的接続コードを使用することなく電気的に接続することができ、組付け作業の向上、及びコストの削減を図ることができる。
【００１０】
（ｂ）請求項２記載の発明によると、主制御基板ユニットの両側部を支持体のガイド部に上方から差し込むことにより、主制御基板ユニットを支持体に簡単に取り付けることができるとともに、下向きコネクタと上向きコネクタとを簡単かつ確実に接続することができる。
【００１１】
（ｃ）請求項３記載の発明によると、主制御基板ユニットの下向きコネクタ及び他の制御基板の上向きコネクタをそれぞれ１個とするとともに、他の制御基板の前部に、制御信号を入力または出力可能な複数のコネクタを設けたことにより、主制御基板ユニットの制御信号を、他の制御基板を中継して、各種制御基板、例えば、副制御基板、回転リール制御基板等に出力することができる。
【発明を実施するための最良の形態】
【００１２】
以下、本発明の一実施形態を、図面に基づいて説明する。図１は、本発明を適用した遊技機の正面図、図２は、前扉を開けた状態の遊技機の斜視図である。なお、以下の説明では、図１において紙面手前側及び図２において左斜め下方を「前方」とし、図１において紙面奥側及び図２において右斜め上方を「後方」とし、図１において左側及び図２において左斜め上方を「左方」とし、図１において右側及び図２において右斜め下方を「右方」とする。
【００１３】
遊技機(１)としてのスロットマシンは、前面が開口する正面視矩形の筐体(２)と、筐体(２)の前面に上下方向を向く上下１対のヒンジ軸(４)により開閉可能に枢支された前扉(３)とを備え、前扉(３)の前面右部に設けたメダル投入部(35)にメダル（コインを含む）を投入することにより、後述の主制御基板(92)により制御され、所定のゲームが行われるものである。
【００１４】
前扉(３)は、閉状態にあるとき、前扉(３)の後面に設けられた上下のフックレバー(５)が筐体(２)に設けられた係合片（図示略）に係合することにより、所定のキー等を使用しない限り開けられないようになっている。
【００１５】
筐体(２)内には、交換ユニット(６)と、メダルを貯留及び払出可能なホッパーユニット(７)と、各種電気機器に電力を供給する電源装置(８)が収容されている。
【００１６】
交換ユニット(６)は、筐体(２)内に固定された中板(21)上に着脱自在に固定される枠状の支持体(14)を有し、この支持体(14)に、遊技進行が予めプログラムされ、遊技全体を統括的に制御する主制御基板(92)を透明な基板ケース(91)内に収容してなる主制御基板ユニット(９)と、主制御基板(92)の制御信号を後述の各種制御基板に分配可能な他の制御基板をなす中継基板(13)と、中継基板(13)から出力される主制御基板(92)の制御信号に基づいて、後述の液晶表示ユニット(31)及びスピーカ(32)に演出信号を出力可能な副制御基板(10)と、複数種類の図柄、数字等で構成される識別情報を変動及び停止表示可能な左、中、右３個の回転リール(11a)を有するリールユニット(11)と、中継基板(13)から出力される主制御基板(92)の制御信号に基づいて、各回転リール(11)を回転させるモータ（図示略）を制御可能な回転リール制御基板(12)とが設置されて形成される。この交換ユニット(６)を交換することにより、遊技機(１)における遊技内容の変更、いわゆる台交換を行うことができる。
【００１７】
前扉(３)の後面側には、副制御基板(10)の演出信号に基づいて、各種遊技演出を表示可能な液晶表示ユニット(31)と、効果音を出力可能なスピーカ(32)と、メダル投入部(35)に投入されたメダルの真偽を判別可能なメダルセレクター(33)と、メダルセレクター(33)から放出される真のメダルをホッパーユニット(７)内に誘導するメダルシュート(34)と、メダルセレクター(33)から排出される偽のメダルを前扉(３)のメダル受皿(36)に誘導する返却ダクト(37)とが設けられている。
【００１８】
前扉(３)の前面には、演出効果を高めたり、遊技機(１)の異常時に点滅したりするランプ(47)と、液晶表示ユニット(31)に表示される遊技情報及び演出を視認可能な遊技情報表示窓(38)と、各回転リール(11a)の識別情報を３こまずつ視認可能な識別情報表示窓(39)と、前扉(３)の後面に設けられた中部基板(40)に表示される各種情報を視認可能な複数の情報表示窓(41)と、遊技を行うときにメダルが投入される前述のメダル投入部(35)と、メダルの賭数を最大限（３枚）に設定するＭＡＸベットボタン(42)と、メダルの賭数を１枚に設定する１枚ベットボタン(43)と、全ての回転リール(11a)を回転させるときに操作されるスタートレバー(44)と、各回転リール(11a)の回転を停止させるときに操作される３個のストップボタン(45)と、遊技を精算するときに操作される精算ボタン(46)とが設けられている。
【００１９】
なお、ＭＡＸベットボタン(42)、１枚ベットボタン(43)、スタートレバー(44)、ストップボタン(45)及び精算ボタン(46)には、それぞれの操作を検出可能な操作検知センサ(50)が設けられている。
【００２０】
遊技機(１)の遊技は、遊技者がメダルをメダル投入部(35)に投入した後、ＭＡＸベットボタン(42)または１枚ベットボタン(43)によりメダルの賭数を設定した後、スタートレバー(44)を操作して、全ての回転リール(11a)を回転させることによって開始される。なお、メダル投入部(35)に投入されたメダルは、メダルセレクター(33)によりメダルの真偽が判別され、真と判別されたメダルのみがホッパーユニット(７)に誘導され、偽と判別されたメダルは前扉(３)の下部に設けられたメダル受皿(36)に戻される。
【００２１】
回転リール(11a)が回転して所定時間が経過した後、３個のストップボタン(45)を順次操作して、各回転リール(11a)の回転を停止させ、停止した３個の回転リール(11a)の識別情報の組み合わせにより、入賞の有無、及び賞の大小に応じたメダルの配当枚数が確定され、入賞した場合には、予め定めた入賞枚数分だけホッパーユニット(７)からメダル受皿(36)にメダルが払い出される。
【００２２】
図３は、前扉(３)を開けた状態の遊技機(１)の分解斜視図、図４は、交換ユニット(６)の拡大分解斜視図である。交換ユニット(６)の支持体(14)は、筐体(２)内に固定された中板(21)の上面に着脱自在に固定されるとともに、底部を形成する底板部(141)と、リールユニット(11)の上方に位置するほぼ水平な天板部(142)と、側部を形成する左右の側板部(143)(144)と、天板部(142)の後端からほぼ直角に上方へ立設したほぼ垂直な起立部(145)とを有し、左右の側板部(143)(144)の後部内側には、平面視ほぼコ字状なす上下方向のガイド部(146)が設けられている。また、起立部(145)の右部には、上下方向に沿って４個の螺合孔(147)が螺設されている。
【００２３】
交換ユニット(６)は、支持体(14)の後端下部に設けられ、かつ中板(21)の上面に設けられた係合部(22)に対して前後方向へ係脱可能な係合爪（図示略）、及び支持体(14)の前端部に取り付けられ、中板(21)の前端に係脱可能な合成樹脂製の左右１対のスナップピン(23)により、中板(21)上に着脱自在に固定される。
【００２４】
主制御基板ユニット(９)は、主制御基板(92)と、主制御基板(92)の不正改造を防止するため、主制御基板(92)を収容する透明な基板ケース(91)とにより形成される。主制御基板(92)の前面、すなわち実装面には、ＣＰＵ、ＲＯＭ、ＲＡＭ等の各種電子部品（図示略）が実装され、また、実装面のほぼ中央下部には、各種電子部品に電気的に接続された１個の下向きコネクタ(93)が設けられている。この下向きコネクタ(93)は、差込口が下方を向くアングル型で、基板ケース(91)に設けられた開口部（図示略）から露出している。
【００２５】
基板ケース(91)は、右端部に円筒状の複数（本実施形態においては６個）の封止部(91a)、また左右両側部にガイド片(91b)をそれぞれ有し、左右のガイド片(91b)を支持体(14)に設けた左右のガイド部(146)に上方から差し込んで下方へ押し込むことにより、下向きコネクタ(93)が中継基板(13)に設けた後述の上向きコネクタ(131)に電気的に直接接続されるとともに、主制御基板(92)の実装面が前方へ向くように、起立部(145)の前面に取り付けられる。
【００２６】
基板ケース(91)を支持体(14)の起立部(145)に取り付けた後、１箇所の封止部(91a)を、支持体(14)の螺合孔(147)に螺合可能なワンウェイねじ（図示略）により、起立部(145)に固定することにより、固定された封止部(91a)を切断しない限り、主制御基板ユニット(９)は、支持体(14)、すなわち筐体(２)から取り外せないようになっている。また、基板ケース(91)内に収容された主制御基板(92)の正式な検査により、封止部(91a)を切断して、基板ケース(91)を開封した場合には、検査後、予備のワンウェイねじをもって、未使用の封止部(91a)を支持体(14)に固定する。
【００２７】
中継基板(13)は、支持体(14)における天板部(142)上に横置きに設置されるとともに、その上面、すなわち実装面の中央後部には、差込口が上方を向く前述の上向きコネクタ(131)が設けられ、また、前部には、複数のコネクタ(132)〜(137)が設けられている。
【００２８】
上向きコネクタ(131)は、主制御基板ユニット(９)の基板ケース(91)が前述のように支持体(14)に取り付けられることにより、下向きコネクタ(93)に嵌合して電気的に直接接続される。
【００２９】
コネクタ(132)〜(137)は、左側から、電源装置(８)から出力される電力を入力する電源入力用、副制御基板(10)へ制御信号を出力する副制御基板出力用、中部基板(40)に表示信号を出力する表示出力用、操作検知センサ(50)の各種操作信号を入力するスイッチ入力用、回転リール制御基板(12)に回転制御信号を出力する回転リール出力用、遊技店に据え付けられる多数の遊技機を集中管理するホールコンピュータに遊技データを出力する外部集中出力用となっている。
【００３０】
中継基板(13)は、上向きコネクタ(131)が主制御基板(91)の下向きコネクタ(93)に電気的に接続されることにより、主制御基板(92)から出力される各種制御信号を各コネクタ(132)〜(137)毎に分配して、各種制御信号を各コネクタ(132)〜(137)から出力する。
【００３１】
副制御基板(10)は、支持体(14)における左の側板部(143)の内側と左の回転リール(11a)との間に設置される。また、回転リール制御基板(12)は、支持体(14)における右の側板部(144)と右の回転リール(11a)との間に設置される。
【００３２】
図５は、本発明に係わる制御回路のブロック図を示す。主制御基板(92)の下向きコネクタ(93)は、中継基板(13)の上向きコネクタ(131)に電気的に接続される。主制御基板(92)が出力する制御信号は、中継基板(13)により分配され、各コネクタ(132)〜(137)から出力され、また、各コネクタ(132)〜(137)に入力される各信号は、上向きコネクタ(131)、下向きコネクタ(93)を経由して、主制御基板(92)に入力される。
【００３３】
中継基板(13)のコネクタ(132)は、電気的接続コードを介して電源装置(８)に接続され、その電力は、上向きコネクタ(131)、下向きコネクタ(93)を経由して主制御基板(92)に入力される。コネクタ(133)は、電気的接続コードを介して、副制御基板(10)に接続される。副制御基板(10)は、中継基板(13)により分配された主制御基板(92)の制御信号に基づいて、液晶表示ユニット(31)及びスピーカ(32)に演出信号を出力する。
【００３４】
コネクタ(134)は、電気的接続コードを介して、中部基板(40)に接続される。中部基板(40)は、中継基板(13)により分配された主制御基板(92)の制御信号に基づいて、各種情報を表示する。コネクタ(135)は、電気的接続コードを介して、メダルセレクター(33)及び操作検知センサ(50)により接続され、各検知信号及び各操作信号を入出力する。入力した各信号は、上向きコネクタ(131)、下向きコネクタ(93)を経由して、主制御基板(92)の入力される。コネクタ(136)は、電気的接続コードを介して、回転リール制御基板(12)に接続される。回転リール制御基板(12)は、中継基板(13)により分配された主制御基板(92)の制御信号に基づいて、各回転リール(11a)のモータを回転及び停止勢御する。コネクタ(137)は、電気的接続コードを介して、外部集中端子板(100)に接続される。外部集中端子板(100)は、遊技店のホールコンピュータに接続され、遊技機(１)の管理信号を出力する。
【００３５】
以上のように、中継基板(13)を、リールユニット(11)の上方に位置する支持体(14)におけるほぼ水平な天板部(142)に取り付けるとともに、中継基板(13)の後部に各種制御信号を入出力可能な上向きコネクタ(131)を設け、また、主制御基板ユニット(９)を、天板部(142)に対してほぼ直角な支持体(14)における起立部(145)の前面に取り付けるとともに、主制御基板ユニット(９)の下部に各種制御信号を入出力可能で、かつ上向きコネクタ(131)に直接接続される下向きコネクタ(93)を設けたことにより、主制御基板ユニット(９)と中継基板(13)とを、電気的接続コードを使用することなく電気的に接続することができ、組付け作業の向上、及びコストの削減を図ることができる。
【００３６】
また、交換ユニット(６)の支持体(14)に、上下方向のガイド部(146)を設け、このガイド部(146)に主制御基板ユニット(９)のガイド片(91b)を上方から差し込むことにより、主制御基板ユニット(９)の下向きコネクタ(93)を中継基板(13)の上向きコネクタ(131)に直接接続し得るようにしたことにより、主制御基板ユニット(９)を支持体(14)に簡単に取り付けることができるとともに、下向きコネクタ(93)と上向きコネクタ(131)とを簡単かつ確実に接続することができる。
【００３７】
さらに、主制御基板ユニット(９)の下向きコネクタ(93)及び中継基板(13)の上向きコネクタ(131)をそれぞれ１個とするとともに、中継基板(13)の前部に、制御信号を入力または出力可能な複数のコネクタ(132)〜(137)を設けたことにより、主制御基板(92)の制御信号を、中継基板(13)を中継して、副制御基板(10)、回転リール制御基板(12)等に出力することができる。
【００３８】
以上、本発明の実施形態について説明したが、本発明の要旨を逸脱しない範囲内で、本実施形態に対して、次のような種々の変形や変更を施すことが可能である。
（ｉ）遊技機(１)を遊技媒体がパチンコ玉であるパチンコ機またはスロットマシンとする。
（ii）リールユニット(11)を、３個の回転リール(11a)に代えて、ループ状の３本のベルトとし、この３本のベルトを各リールによりそれぞれ回走させるようにした、いわゆるベルト式にする。
（iii）主制御基板(92)に直接接続される他の制御基板を、中継基板(13)に代えて、副制御基板(10)、回転リール制御基板(12)またはそれ以外の制御基板とする。
【図面の簡単な説明】
【００３９】
【図１】本発明を適用した遊技機の正面図である。
【図２】前扉を開けた状態の遊技機の斜視図である。
【図３】前扉を開けた状態の遊技機の分解斜視図である。
【図４】交換ユニットの拡大分解斜視図である。
【図５】制御回路のブロック図である。
【符号の説明】
【００４０】
(１)遊技機
(２)筐体
(３)前扉
(４)ヒンジ軸
(５)フックレバー
(６)交換ユニット
(７)ホッパーユニット
(８)電源装置
(９)主制御基板ユニット
(10)副制御基板
(11)リールユニット
(11a)回転リール
(12)回転リール制御基板
(13)中継基板（他の制御基板）
(14)支持体
(21)中板
(22)係合部
(23)スナップピン
(31)液晶表示ユニット
(32)スピーカ
(33)メダルセレクター
(34)メダルシュート
(35)メダル投入部
(36)メダル受皿
(37)返却ダクト
(38)遊技情報表示窓
(39)識別情報表示窓
(40)中部基板
(41)情報表示窓
(42)ＭＡＸベットボタン
(43)１枚ベットボタン
(44)スタートレバー
(45)ストップボタン
(46)精算ボタン
(47)ランプ
(50)操作検知センサ
(91)基板ケース
(91a)封止部
(91b)ガイド片
(92)主制御基板
(93)下向きコネクタ
(100)外部集中端子板
(131)上向きコネクタ
(132)〜(137)コネクタ
(141)底板部
(142)天板部
(143)(144)側板部
(145)起立部
(146)ガイド部
(147)螺合孔
【図１】
2006181167.tif 000003
【図２】
2006181167.tif 000004
【図３】
2006181167.tif 000005
【図４】
2006181167.tif 000006
【図５】
2006181167.tif 000007